(57)【特許請求の範囲】
【請求項１】
略円筒形状の筐体の内周円筒面に沿って移動可能に保持させるための被保持部を有するスライド部材と、
前記筐体の表面に配され、前記スライド部材の前記被保持部にビスで固定されるスライドツマミと、を備えるスライドスイッチ装置であって、
前記ビスは、前記筐体の内周の中心軸から前記スライドツマミに向かう方向に前記被保持部を挿通し、前記スライド部材の主平面の垂直線に対して傾斜して配されている、
スライドスイッチ装置。
【請求項２】
前記スライドツマミは、前記ビスがねじ込まれるためのビス孔を有し、
前記ビス孔は、前記筐体の内周の中心軸方向に傾斜する方向に形成されている、
請求項１記載のスライドスイッチ装置。
【請求項３】
前記スライド部材は、前記筐体の内周の中心軸方向の面において、前記ビスの頭部が位置するビス締め面を有し、
前記ビス締め面は、前記スライド部材の前記中心軸方向の面に対して傾斜して形成されている、
請求項１記載のスライドスイッチ装置。
【発明の詳細な説明】
【技術分野】
【０００１】
本発明は、所定方向へスライド操作が可能なスライドスイッチ装置に関する。特に、ビデオカメラやデジタルスチルカメラなどの撮影機器のレンズユニットに搭載されることが好適なスライドスイッチ装置に関する。
【背景技術】
【０００２】
近年のビデオカメラやデジタルスチルカメラなどの撮影装置は、高機能、高性能化が進んでおり、レンズ部分の機能も多岐に渡ったモデルが主流となりつつある。また、撮影装置の操作は、カメラ本体側に配置されたスイッチで行うことが多いが、レンズ機能に関係する操作については、レンズ鏡筒部分に配置されたスイッチで行うこともある。このようなレンズ鏡筒部に配されたスイッチは、主にスライドスイッチが多く用いられている（例えば、特許文献１参照）。
【０００３】
図１６は、従来の撮影装置の外観を示す斜視図である。図１７は、図１６におけるＺ−Ｚ部分の矢視断面を示している。
【０００４】
図１６に示すように、カメラ本体３００は、フロントケース３０２に略円筒形状のレンズユニット３０１が配されている。レンズユニット３０１は、内部にフォーカスレンズやズームレンズなどのレンズ群が配されている。レンズユニット３０１の円筒面に配されているレンズリング３０３には、矢印ＰまたはＱ方向にスライド可能なスライドツマミ３０４が配されている。
【０００５】
図１７に示すように、スライドツマミ３０４の下部には、スライドスイッチ３０５が配置され、スライドツマミ３０４の下端部には、スライドスイッチ３０５の突起３０６が嵌合されている。スライドスイッチ３０５は、レンズフレーム３０８に固定されている。
【０００６】
上記構成において、スライドツマミ３０４を矢印ＰまたはＱ方向へスライドさせることで、スライドツマミ３０４の動きに連動して突起３０６が矢印ＰまたはＱ方向へスライドし、スイッチング操作を行うことができる。
【特許文献１】特開平３−２３６００６号公報
【発明の開示】
【発明が解決しようとする課題】
【０００７】
しかしながら特許文献１に開示されている構成では、スライドスイッチ３０５がスライドツマミ３０４の下部に配されているため、レンズユニット３０１（円筒体）を小型化することができないという問題があった。すなわち、図１７に示すように、レンズユニット３０１の外径は、少なくともスライドツマミ３０４とスライドスイッチ３０５との厚み寸法Ｒが必要となり、さらなる小型化ができなかった。
【０００８】
本発明は、上記従来の課題を解決するもので、筐体の小型化が可能なスライドスイッチ装置を提供することを目的とする。
【課題を解決するための手段】
【０００９】
上記目的を達成するために本発明のスライドスイッチ装置は、筐体の側面部に沿って移動可能なスライド部材と、前記筐体の側面部に配され、被作用部が駆動されることにより動作状態を切り換え可能なスイッチと、を備えるスライドスイッチ装置であって、前記スライド部材は、前記スライド部材が前記筐体の側面部に沿って移動することに伴って前記被作用部を駆動可能なスイッチ係合部と、前記筐体又は他の部材と接触することにより、前記筐体の側面部に沿って移動する際にクリック感を生じさせるクリック部と、前記スライド部材を前記筐体に、移動可能に保持させるための被保持部と、を備え、前記被保持部は、前記スライド部材の移動方向において、前記スイッチ係合部と前記クリック部との間に配置されるものである。
【発明の効果】
【００１０】
本発明によれば、スライドスイッチ装置が搭載される筐体の小型化が可能になるという優れた効果を得ることができる。
【発明を実施するための最良の形態】
【００１１】
本発明のスライドスイッチ装置は、前記スイッチは、前記スイッチ係合部に対して、厚み方向にオーバーラップする位置に配置されている構成とすることができる。この構成により、スイッチ近傍の厚さ寸法を小さくすることができ、装置を小型化することができる。
【００１２】
また、前記スライド部材は、前記スイッチに対向する部位に凹部を備え、前記凹部内に、前記スイッチの一部または全部を配置する構成とすることができる。この構成により、スイッチ近傍の幅方向寸法を小さくすることができ、装置を小型化することができる。
【００１３】
また、前記被作用部はスイッチレバーであり、前記スイッチ係合部は、略Ω形の凹部が形成され、前記凹部に前記スイッチレバーが係合されている構成とすることができる。この構成により、スイッチレバーが凹部から抜けにくくすることができるとともに、凹部の内壁がスイッチレバーの回動動作を妨げないため、確実にスイッチの切換動作を行うことができる。
【００１４】
また、前記スイッチ係合部は、前記スイッチレバーより厚い構成とすることができる。この構成により、スイッチレバーがスイッチ係合部から抜けにくくすることができるため、確実にスイッチの切換動作を行うことができる。
【００１５】
また、前記スイッチ係合部は、樹脂で形成することができる。この構成により、スイッチレバーの摩耗を低減させることができる。また、摩耗を低減できることで、スイッチ係合部が削れることで発生する粉塵を抑えることができる。
【００１６】
また、前記筐体の表面に配され、前記スライド部材に固定されるスライドツマミをさらに備え、前記筐体の表面において、前記スライドツマミが配される部位に、凹部が形成されている構成とすることができる。この構成により、スライドスイッチ装置を組み立てる際に、スライドツマミを位置決めすることができ、組立性を向上させることができる。
【００１７】
また、前記筐体の表面に配され、前記スライド部材の前記被保持部に固定されるスライドツマミをさらに備え、前記スライドツマミにおいて、前記被保持部に固定される部位にリブが形成され、前記被保持部において、前記リブが係合可能な凹部が形成されている構成とすることができる。この構成により、スライドツマミと被保持部とを係合させる際に、両者を位置決めすることができ、組立性を向上させることができる。
【００１８】
また、前記筐体の表面に配され、前記スライド部材の前記被保持部にビスで固定されるスライドツマミをさらに備え、前記ビスは前記スライド部材の主平面の垂直線に対して傾斜して配されている構成とすることができる。この構成により、ドライバーなどでビスをねじ込む際に、ドライバーの先端を確実にビスの頭部に係合させることができ、組立性を向上させることができる。
【００１９】
また、前記スイッチ係合部と前記クリック部と前記被保持部とが配され、弾性変形可能な基材をさらに備え、前記基材における、前記クリック部と前記被保持部との間に、孔部が形成されている構成とすることができる。この構成により、孔部を大きくするとクリック感を低下させることができ、孔部を小さくするとクリック感を強化させることができるので、孔部の大きさを最適化することで、任意のクリック感を実現することができる。
【００２０】
また、前記スイッチは、自己復帰型のスイッチ素子で構成することができる。この構成により、スイッチレバーとスライド部材との間のガタツキを低減させることができる。また、自己復帰型スイッチ素子は、スイッチレバーが常時中立位置にあるので、スイッチレバーの位置を基準にして各部品を組み立てることで、組立性を向上させることができる。
【００２１】
また、基材をさらに備え、前記クリック部と前記被保持部と前記スイッチ係合部は、一括樹脂成型により前記基材に形成されている構成とすることができる。この構成により、インサート成型などで一度に成型することができるため、組立性を向上させることができる。
【００２２】
また、基材をさらに備え、前記基材が曲げ加工された後に、前記スイッチ係合部と前記クリック部と前記被保持部とが前記基材に形成される構成とすることができる。この構成により、組立性を向上させることができる。
【００２３】
また、前記筐体は、少なくとも前記スライド部材と前記スイッチとが配されている第１の筐体と、前記第１の筐体の表面を覆う第２の筐体とから構成され、前記スイッチは、他の回路と電気的に接続可能なフレキシブル基板に接続され、前記フレキシブル基板は、前記第１の筐体と前記第２の筐体との間に配される構成とすることができる。この構成により、フレキシブル基板を、傷などから保護することができる。
【００２４】
また、複数のスイッチを備え、前記複数のスイッチは、他の回路と電気的に接続可能な１つのフレキシブル基板に接続されている構成とすることができる。この構成により、フレキシブル基板を少なくすることができ、装置を小型化することができる。
【００２５】
また、前記複数のスイッチとして、第１のスイッチ及び第２のスイッチを備え、それぞれのスイッチを駆動するための第１のスライド部材及び第２のスライド部材を備え、前記第１のスライド部材及び前記第２のスライド部材が互いに対向する部位に、それぞれのスイッチ係合部を配置するようにして、前記第１のスライド部材及び前記第２のスライド部材を前記筐体に取り付ける構成とすることができる。この構成により、スイッチ間の距離を短くすることができる。そのため、スイッチ間に配置されるフレキシブル基板の長さを短くすることができ、装置を小型化することができる。
【００２６】
（実施の形態１）
〔１．全体構成〕
図１は、実施の形態１のスライドスイッチ装置が搭載されている撮像装置の外観を示している。本実施の形態では、デジタルスチルカメラを撮像装置の一例として挙げた。
【００２７】
図１において、カメラ本体１は、例えばデジタルスチルカメラで構成され、フロントケース３とリアケース４とから構成される筐体内に、各種回路基板や撮像素子などが内蔵されている。また、カメラ本体１の上面には、レリーズボタン５などの各種操作部が配されている。なお、本実施の形態では、フロントケース３とリアケース４とで筐体を構成しているが、この構成に限らない。
【００２８】
レンズユニット２は、カメラ本体１のフロントケース３上に配され、フォーカスレンズやズームレンズなどのレンズ群が内蔵されている。レンズユニット２は、略円筒形状で構成されており、内部にレンズを配置するための空間が形成されている。レンズユニット２に含まれるレンズリング１１上には、スライドスイッチ部６が矢印ＳまたはＴ方向にスライド可能に配されている。
【００２９】
スライドスイッチ部６は、矢印ＳまたはＴ方向へスライド操作することで、カメラ本体１における所定の機能の切り換え操作を行うことができる。例えば、オートフォーカスまたはマニュアルフォーカスの切り換えや、撮影画像のアスペクト比の切り換えを行うことができる。
【００３０】
〔２．スライドスイッチ装置の構成〕
次に、スライドスイッチ装置の詳しい構成について説明する。
【００３１】
図２及び図３は、スライドスイッチ装置が含まれるレンズユニット２の分解斜視図を示している。なお、本実施の形態における説明に不要な構成については、図示及び説明を省略する。また、図２と図３は、互いに描画アングルを変えて示した図である。
【００３２】
図２及び図３に示すように、レンズユニット２は主に、レンズリング１１、レンズフレーム２１、クリックバネ３１、フレキシブルプリント基板ユニット（以下、ＦＰＣユニットと称する）４１、摺動シート５１、およびスライドツマミ６１を備えている。
【００３３】
レンズリング１１（第１の筐体）は、略円筒形状に形成されており、レンズユニット２の最外周部分に配される。また、レンズリング１１の円筒面には、孔部１２、摺動部１３、および孔部１５が形成されている。また、レンズリング１１は、本実施の形態ではアルミニウムなどの金属で構成されているが、他の材料で構成されていてもよい。
【００３４】
孔部１２は、クリックバネ３１及びスライドツマミ６１などを、レンズリング１１及びレンズフレーム２１に保持させるために形成されている。孔部１２の大きさは、少なくともクリックバネ３１に配されている位置決めリブ３５を挿通可能な大きさである。また、孔部１２は、クリックバネ３１がスライド方向に移動するのに伴って、位置決めリブが移動可能なように、長孔で構成されている。
【００３５】
摺動部１３は、孔部１２の周囲に形成され、レンズリング１１の外周円筒面から窪んで形成されている。摺動部１３の大きさは、スライドツマミ６１を内在させることが可能であるとともに、スライドツマミ６１が移動可能な範囲に形成されている。なお、摺動部１３の深さは、スライドツマミ６１がレンズユニット２に装着された時に、スライドツマミ６１の主面６６とレンズリング１１の外周円筒面とが略面一になるような深さに形成してもよい。
【００３６】
ビス１４は、孔部１５を挿通し、レンズフレーム２１に形成されているビス孔２７に螺合させることで、レンズリング１１をレンズフレーム２１に固定させることができる。
【００３７】
レンズフレーム２１（第２の筐体）は、略円筒形状に形成されており、レンズリング１１の内部に配置される。レンズフレーム２１には、孔部２２、孔部２３、第１のクリック溝２４、第２のクリック溝２５、第３のクリック溝２６、ビス孔２７、およびビス孔２８が形成されている。
【００３８】
孔部２２は、少なくともスライドスイッチ４３を内部に配置させることが可能な大きさに形成されている。孔部２２は、ＦＰＣユニット４１がレンズフレーム２１に装着された際に、スライドスイッチ４３が配置される。
【００３９】
孔部２３は、レンズリング１１をレンズフレーム２１に組み付けた際に、孔部１２に投影面上で重なる位置に形成されている。また、孔部２３は、クリックバネ３１やスライドツマミ６１をレンズリング１１及びレンズフレーム２１に保持させるために形成されている。孔部２３の大きさは、孔部１２の大きさとほぼ同等である。また、孔部２３は、クリックバネ３１がスライド動作するのに伴って、位置決めリブ３５が移動可能なように、長孔で構成されている。
【００４０】
第１のクリック溝２４，第２のクリック溝２５，第３のクリック溝２６は、それぞれ互いに略平行でかつ、クリックバネ３１のスライド方向に対して略垂直方向に形成されている。また、クリック溝２４〜２６は、クリックバネ３１に配されている突起部３２が、選択的に嵌合されることで、スライドツマミ６１を複数箇所（本実施の形態では３カ所）において位置決めさせることができるとともに、スライド操作時にクリック感を生じさせている。
【００４１】
ビス孔２７は、ビス１４が螺合される孔である。ビス孔２８は、ビス４５が螺合される孔である。
【００４２】
クリックバネ３１（スライド部材）は、図４及び図５に示すように構成されている。図４はクリックバネ３１の上面側の斜視図である。図５はクリックバネ３１の底面側の斜視図である。また、クリックバネ３１は、突起部３２、孔部３３、板バネ部３４、位置決めリブ３５、係合部３６、係合凹部３７、ビス締め面３８、および凹部３９を備えている。
【００４３】
突起部３２（クリック部）は、板バネ部３４の一方の端部に配されている。突起部３２は、位置決めリブ３５が突出する方向に対して略同じ方向に突出して設けられている。突起部３２は、スライドツマミ６１がスライド操作された際に、クリック溝２４〜２６のいずれかに嵌合される。また、突起部３２の先端は、山形に形成されているが、この形状に限らず少なくともクリック溝２４〜２６に嵌合可能な形状であればよい。また、本実施の形態では、突起部３２は、板バネ部３４に対して、樹脂をインサート成型して形成されているが、この構成に限定されない。
【００４４】
孔部３３は、板バネ部３４の略中央に形成されている。孔部３３は、クリックバネ３１をレンズフレーム２１にビス６５で固定する際に、ビス６５が挿通される。
【００４５】
板バネ部３４（基材）は、弾性変形が可能であるとともに、一方の端部に突起部３２が配され、他方の端部に係合部３６が配され、突起部３２と係合部３６との間には位置決めリブ３５が配されている。また、板バネ部３４は、本実施の形態では金属板で構成する。このため、繰り返し使用時の節度の劣化を少なくすることができる。また、板バネ部３４は、平板状であってもよいが、レンズフレーム２１の内面に沿うように予め湾曲させておいてもよい。この場合、板バネ部３４を予め曲げ加工した後、突起部３２と係合部３６と位置決めリブ３５とを板バネ部３４に形成するのが好ましい。これにより、突起部３２などを形成した後に板バネ部３４を曲げ加工するのに比べて、突起部３２等が損傷しにくくなる。そのため、板バネ部３４の曲げ加工が容易になる。なお、板バネ部３４において、位置決めリブ３５が形成されている面を第１面とし、第１面の裏面側を第２面と定義する。
【００４６】
位置決めリブ３５（被保持部）は、板バネ部３４上における孔部３３の周囲に配されている。位置決めリブ３５は、クリックバネ３１をレンズフレーム２１に装着した際に、孔部２３に嵌合される。位置決めリブ３５は、スライドツマミ６１のスライド動作に伴って、孔部２３内を移動する。図４及び図５に示すように、位置決めリブ３５は、クリックバネ３１のスライド方向（長手方向）において、突起部３２と係合部３６との間に配されている。
【００４７】
係合部３６は、樹脂で構成され、クリックバネ３１のスライド動作に伴ってスライドスイッチ４３を切り換える部分である。なお、本実施の形態では、係合部３６は、板バネ部３４をインサートとして、樹脂でインサート成型することにより形成するのが好ましい。係合部３６を容易に形成できるからである。しかし、本発明はこの構成に限定されない。
【００４８】
なお、突起部３２，位置決めリブ３５、および係合部３６は、例えばポリオキシメチレン（Polyoxymethylene:POM。ポリアセタール樹脂）で構成してもよい。ＰＯＭで構成することにより、クリックバネ３１のレンズフレーム２１に対する摺動性がよくなる。このため、クリックバネ３１又は／及びレンズフレーム２１の耐久性が良くなる。しかし、本発明はこの材料に限定されない。
【００４９】
また、突起部３２、位置決めリブ３５および係合部３６は、板バネ部３４をインサートとして、一括して樹脂でインサート成型することにより形成するようにしてもよい。これにより、一括して、突起部３２などを形成できるので、クリックバネ３１の製作が容易になる。
【００５０】
係合凹部３７は、係合部３６において略Ω形状に形成されている。係合凹部３７は、スライドスイッチ４３のスイッチレバー４４が嵌合される。なお、係合凹部３７の端部の内径Ａは、係合凹部３７の最大内径Ｂよりも小さい。本実施の形態では、係合凹部３７はΩ形状としたが、少なくともスイッチレバー４４が嵌合可能で、スイッチレバー４４をスイッチング動作させることができれば、他の形状であってもよい。
【００５１】
ビス締め面３８は、板バネ部３４の第２面において、孔部３３の周囲に形成されている。また、ビス締め面３８は、板バネ部３４の第２面に対して傾斜して形成されている。また、ビス締め面３８は、クリックバネ３１をレンズフレーム２１にビス６５で固定した際に、ビス６５の頭部が位置する部分である。ビス締め面３８が傾斜して形成されていることで、ビス６５を斜めに螺合させた場合であっても、ビス６５の頭部とビス締め面３８との間に間隙が生じない。そのため、ビス６５を斜めに螺合させた場合、ビス６５を確実に締めることができる。
【００５２】
凹部３９は、板バネ部３４における位置決めリブ３５と係合部３６との間の部分を、板バネ部３４の幅方向に切り欠いて形成されている。クリックバネ３１をレンズフレーム２１に固定した際、凹部３９には、図６に示すようにスライドスイッチ４３の一部または全部が配置される。すなわち、クリックバネ３１とスライドスイッチ４３とを、クリックバネ３１の幅方向にオーバーラップさせて配置している。これにより、クリックバネ３１の端部からスライドスイッチ４３の端部までの幅寸法Ｅを、小さくすることができる。
【００５３】
図２及び図３において、ＦＰＣユニット（FPC:Flexible Printed Circuit board）４１は、ＦＰＣ４２、スライドスイッチ４３、および孔部４６を備えている。
【００５４】
ＦＰＣ４２は、スライドスイッチ４３と他の回路とを電気的に接続している。他の回路とは、例えば、カメラ本体１内の制御回路である。なお、ＦＰＣ４２に含まれる接地ラインは、ＦＰＣユニット４１をレンズリング１１とレンズフレーム２１との間に配置させた際に、レンズリング１１に電気的に接触する構成としてもよい。
【００５５】
スライドスイッチ４３は、ＦＰＣ４２の端部の主面上に固定されている。また、スライドスイッチ４３には、スイッチレバー４４（被作用部）が突出して配されている。また、スライドスイッチ４３は、本実施の形態ではスイッチレバー４４が中立位置に付勢されている自己復帰型スイッチ素子で構成される。これにより、係合凹部３７とスイッチレバー４４との間に隙間があっても、スイッチレバー４４は中立位置に向かって付勢されているため、スイッチレバー４４が位置決めされ、安定したスイッチング動作を行うことができる。また、スライドスイッチ４３は、本実施の形態では内部接点が３接点のスイッチ素子を用いた。しかし、本発明はこれに限定されない。
【００５６】
スイッチレバー４４は、クリックバネ３１に形成されている係合凹部３７に嵌合される。スイッチレバー４４が係合凹部３７に嵌合されている状態で、スライドツマミ６１がスライド操作されると、スイッチレバー４４は、クリックバネ３１のスライド動作に伴って、図６の矢印ＭまたはＮ方向へ回動される。これにより、スライドスイッチ４３の内部の接点の切り換えが行われる。
【００５７】
ビス４５は、孔部４６を挿通し、レンズフレーム２１に形成されているビス孔２８に螺合されることで、ＦＰＣ４２をレンズフレーム２１に固定させることができる。
【００５８】
摺動シート５１は、スライドツマミ６１とレンズリング１１との間に挟まれて配置されている。また、摺動シート５１は、シート状で、かつ表面及び裏面は摩擦が低い材料で構成されている。摺動シート５１を配することにより、スライドツマミ６１のスライド動作をスムーズにできるとともに、スライドツマミ６１とレンズリング１１との摺動による傷付きや摩耗を防止することができる。また。摺動シート５１には孔部５２が形成されている。
【００５９】
孔部５２は、スライドツマミ６１をレンズフレーム２１に装着する際に、スライドツマミ６１に形成されているボス６４が挿通される孔である。これにより、摺動シート５１とスライドツマミ６１とを互いに位置決めさせることができる。
【００６０】
スライドツマミ６１は、ビス孔６２、指針溝６３、ボス６４、および突起６７を備えている。スライドツマミ６１は、本装置に組み付けられている状態において、外部に露出して配され、使用者によってスライド操作されるものである。なお、スライドツマミ６１において、突起６７が配されている面（外部に露出する面）を第１面とし、第１面の裏面を第２面と定義する。
【００６１】
ビス孔６２は、スライドツマミ６１の第２面に形成されているボス６４に略中央に形成され、ビス６５が螺合される。
【００６２】
指針溝６３は、突起６７の頂部において、スライドツマミ６１の短辺方向に形成されている。
【００６３】
ボス６４は、スライドツマミ６１の第２面に突出して形成され、クリックバネ３１に形成されている位置決めリブ３５に嵌合されることで、スライドツマミ６１とクリックバネ３１とを互いに位置決めさせることができる。
【００６４】
ビス６５は、孔部３３と孔部２３と孔部５２とを挿通し、スライドツマミ６１に形成されているビス孔６２に螺合することで、クリックバネ３１と摺動シート５１とスライドツマミ６１とをレンズリング１１及びレンズフレーム２１に移動可能に保持させることができる。
【００６５】
突起６７は、スライドツマミ６１の第１面に突出して形成され、使用者がスライドツマミ６１をスライド操作する際に指を引っ掛けることで、スライド操作を容易に行うことができるものである。
【００６６】
〔３．スライドスイッチ装置の組立方法〕
上記構成を備えたスライドスイッチ装置の組立方法について説明する。
【００６７】
図２において、まず、ＦＰＣユニット４１をレンズリング２１に取り付ける。具体的には、ＦＰＣユニット４１をレンズリング２１の外周円筒面に配置させる。この時、スライドスイッチ４３が、孔部２２内に配置されるようにする。次に、ビス４５を、矢印Ｊに示す経路にしたがって、孔部４６を挿通させて、ビス孔２８に螺合させる。これにより、ＦＰＣユニット４１をレンズリング２１へ固定させることができる。
【００６８】
次に、レンズリング１１をレンズフレーム２１に取り付ける。具体的には、レンズリング１１を矢印Ｆに示す方向に移動させ、レンズフレーム２１の外周円筒面を覆うように、レンズフレーム２１に装着させる。この時、孔部１２と孔部２３とが互いに投影面上で重なるように、レンズリング１１とレンズフレーム２１とを配置させる。また、図示していないが、レンズリング１１の内周円筒面とレンズフレーム２１の外周円筒面とに、互いに係合可能な係合部が設けられており、両者の係合部を係合させることで仮固定している。次に、ビス１４を矢印Ｇに示す経路にしたがって、孔部１５に挿通させて、ビス孔２７に螺合させる。これにより、レンズリング１１をレンズフレーム２１に取り付けることができる。
【００６９】
次に、クリックバネ３１、摺動シート５１，およびスライドツマミ６１をレンズフレーム２１に取り付ける。具体的には、まずスライドツマミ６１の第２面に形成されているボス６４を、摺動シート５１の孔部５２に挿通させて、摺動シート５１をスライドツマミ６１に対して位置決めを行う。次に、ボス６４を孔部１２及び孔部２３に挿通させて、スライドツマミ６１を摺動部１３上に配置させる。この時、スライドツマミ６１の第２面と摺動部１３とで、摺動シート５１を挟持するように配置させる。なお、摺動シート５１は、ボス６４によって位置決めされているだけでもよいが、スライドツマミ６１の第２面に貼着されていてもよい。次に、クリックバネ３１を、レンズフレーム２１の内周円筒面に配置させる。この時、位置決めリブ３５とボス６４とが互いに嵌合するように、クリックバネ３１を配置させる。また、スイッチレバー４４を係合凹部３７に嵌合させる。
【００７０】
また、本実施の形態では、スライドスイッチ４３は自己復帰型スイッチ素子である。そのため、係合凹部３７をスイッチレバー４４に係合する前は、スイッチレバー４４は常に中立位置にあるので、その中立位置にスイッチレバー４４を配置するようにすれば、失敗することなく、係合凹部３７をスイッチレバー４４に係合させることができる。従って、クリックバネ３１を配置させる作業を容易にすることができる。
【００７１】
次に、ビス６５を、矢印Ｈに示すように、クリックバネ３１の孔部３３、レンズフレーム２１の孔部２３、レンズリング１１の孔部１２、摺動シート５１の孔部５２の順に挿通させ、スライドツマミ６１のビス孔６２に螺合させる。これにより、クリックバネ３１、摺動シート５１，およびスライドツマミ６１をレンズフレーム２１に取り付けることができる。
【００７２】
図６は、クリックバネ３１がレンズフレーム２１に取り付けられた状態における、レンズユニット２の内側を示している。なお、図６は、構造を明瞭に表現するために、レンズリング１１及びレンズフレーム２１の一部を切り欠いて描画している。図６に示すように、スイッチレバー４４は係合凹部３７に嵌合され、突起部３２はクリック溝（図示では第２のクリック溝２５）に嵌合されている。
【００７３】
なお、ビス孔６２は、レンズ光軸７に対して直交する方向に形成されているのではなく、光軸方向に僅かに傾斜する方向に形成されている。したがって、ビス６５をねじ込む際、ドライバーをレンズユニット２に斜め方向から挿入して、ねじ込むことができる。以下、その理由について説明する。
【００７４】
図７は、図１におけるＸ−Ｘ部分の断面を示している。また、図８は、図７におけるスライドツマミ６１の周辺の拡大図である。図７及び図８に示すように、ビス孔６２は、レンズ光軸７に対して直交しているのではなく、光軸方向に僅かに傾斜して形成されている。具体的には、図７及び図８に示すように、ビス孔６２は、レンズ光軸７に直交する線９に対して、角度Ｋ分傾斜している。このように構成されていることで、ビス孔６２にビス６５を螺合させる際、レンズユニット２におけるカメラ本体側の開口部から、ビス６５をねじ込むためのドライバー８を挿入し、ビス６５をねじ込むことができる。
【００７５】
仮に、ビス孔６２がレンズ光軸７に対して直交するように形成されていたとすると、ビス６５を、ドライバー８で、レンズ光軸７に対して直交する方向からねじ込まなければならない。しかし、レンズユニット２の内径は比較的小さく、一般的なドライバー８はレンズユニット２の内径よりも長い長さを有するため、レンズ光軸７に対して直交する方向から、レンズユニット２の内側へドライバー８を挿入するのは困難である。したがって、ドライバー８で、レンズ光軸７に対して直交する方向からビス６５をねじ込むのは困難である。上記構成において、ビス６５の軸方向に対して斜め方向からドライバー８を挿入して、ビス６５をねじ込もうとすると、ビス６５の頭部に形成されているドライバー嵌合用の溝を、誤って潰してしまう可能性がある。
【００７６】
そこで、本実施の形態では、ビス孔６２を傾斜させて形成したことにより、レンズユニット２にドライバー８を斜めから挿入し、確実にビス６５をねじ込むことができる。
【００７７】
〔４．スライドスイッチ装置の動作〕
図９は、スライドスイッチ装置の構成を示しており、図１におけるＹ−Ｙ部分の断面である。図９は、突起部３２が第２のクリック溝２５に嵌合されている状態を示しており、この位置を「第２位置」と定義する。スライドツマミ６１が第２位置にある時、図６に示すようにスイッチレバー４４は中立位置にある。図１０Ａ及び図１０Ｂは、スライドツマミ６１が第２位置から矢印Ｓ方向へスライドした状態を示しており、この位置を「第１位置」と定義する。また、図１１Ａ及び図１１Ｂは、スライドツマミ６１が第２位置から矢印Ｔ方向へスライドした状態を示しており、この位置を「第３位置」と定義する。なお、図１０Ｂ及び図１１Ｂは、図６と同じアングルで描画している。
【００７８】
また、本実施の形態では、スライドスイッチ４３は、３点切換式のスイッチ素子を用いており、例えば撮影画像のアスペクト比を切り換えることができる。図１２は、レンズユニットの側面図を示している。図１２において、スライドツマミ６１が第１位置にある時はアスペクト比が「４：３」に設定され、スライドツマミ６１が第２位置（図１２に示す位置）にある時はアスペクト比が「３：２」に設定され、スライドツマミ６１が第３位置にある時はアスペクト比が「１６：９」に設定されるように構成されている。各アスペクト比の選択状況が目視にて容易にわかるように、レンズリング１１におけるスライドツマミ６１の近傍には、マークや文字などが表記されている。本実施の形態では、図１２に示すように、「４：３」などの文字を表記している。このマークや文字に、スライドツマミ６１に形成されている指針溝６３を位置合わせすることで、所望の機能を選択することができる。なお、スライドスイッチ４３によって切換可能な機能は、撮影画像のアスペクト比に限らず、他の機能を割り当ててもよい。
【００７９】
以下、動作について説明する。
【００８０】
まず、図９に示す第２位置では、突起部３２が第２のクリック溝２５に嵌合されることで、スライドツマミ６１が位置決めされている。この時、係合凹部３７に嵌合されているスイッチレバー４４は中立位置にある。スイッチレバー４４が中立位置にあることで、スライドスイッチ４３の内部において第２の接点がオンになり、カメラ内部のマイコンによって撮影画像のアスペクト比が「３：２」に設定される。
【００８１】
次に、図９に示す状態から、スライドツマミ６１を矢印Ｓ方向へスライドさせると、スライドツマミ６１に一体的に配されているクリックバネ３１が矢印Ｓ方向へスライドされる。スライド時、板バネ部３４が弾性変形しながら、突起部３２は第２のクリック溝２５から第１のクリック溝２４へ向かって移動する。また、スライド時、スイッチレバー４４は、係合部３６によって押圧されて、スライドスイッチ４３の第１の接点側へ切り換えられる。
【００８２】
図１０Ａに示すように、スライドツマミ６１及びクリックバネ３１が第１位置へ移動すると、突起部３２は第１のクリック溝２４に嵌合され、スライドツマミ６１及びクリックバネ３１が位置決めされる。この時、図１０Ｂに示すように、スイッチレバー４４は、係合部３６によって押圧されて、スライドスイッチ４３内の第１の接点がオンになる。また、スイッチレバー４４は、中立位置に復帰しようとする付勢力によって、係合凹部３７の内壁に当接していることで、スイッチレバー４４と係合部３６との間のガタツキを抑えている。これにより、カメラ内部のマイコンによって撮像画像のアスペクト比が「４：３」に設定される。
【００８３】
また、図９に示す状態から、スライドツマミ６１を矢印Ｔ方向へスライドさせると、スライドツマミ６１に一体的に配されているクリックバネ３１が矢印Ｔ方向へスライドされる。スライド時、板バネ部３４が弾性変形しながら、突起部３２が第２のクリック溝２５から第３のクリック溝２６へ向かって移動される。また、スライド時、スイッチレバー４４は、係合部３６によって押圧されて、スライドスイッチ４３の第３の接点側へ切り換えられる。
【００８４】
図１１Ａに示すように、スライドツマミ６１及びクリックバネ３１が第３位置へ移動すると、突起部３２は第３のクリック溝２６に嵌合され、スライドツマミ６１及びクリックバネ３１が位置決めされる。この時、図１１Ｂに示すように、スイッチレバー４４は、係合部３６によって押圧されて、スライドスイッチ４３内の第３の接点がオンになる。また、スイッチレバー４４は、中立位置に復帰しようとする付勢力によって、係合凹部３７の内壁に当接していることで、スイッチレバー４４と係合部３６との間のガタツキを抑えている。これにより、カメラ内部のマイコンによって撮像画像のアスペクト比が「１６：９」に設定される。
【００８５】
〔５．実施形態の効果、他〕
以上のように本実施の形態によれば、図６及び図９に示すように、係合部３６とスイッチレバー４４とを厚さ方向でオーバーラップさせて配置したことにより、図９における寸法Ｌを小さくすることができ、スライドスイッチ装置の小型化を実現することができる。
【００８６】
また、図５に示すようにクリックバネ３１に凹部３９が形成されていることにより、スライドスイッチ４３の一部または全部を凹部３９内に配置させることができ、図６に示すようにクリックバネ３１とスライドスイッチ４３とで構成される最大幅寸法を小さくすることができる。よって、スライドスイッチ装置の小型化を実現することができる。
【００８７】
また、係合部３６の厚みをスイッチレバー４４の厚みより大きくした。これにより、スイッチレバー４４をスイッチング動作させる際、スイッチレバー４４が係合部３６から外れにくくすることができ、確実にスライドスイッチ４３の切換動作を行うことができる。
【００８８】
また、係合部３６を樹脂で形成した。これにより、スイッチレバー４４の摩耗を低減させることができる。また、摩耗を低減できることで、嵌合部が削れることで発生する粉塵を抑えることができる。
【００８９】
また、係合凹部３７をΩ形の形状にした。すなわち、図５に示すように端部の開口幅寸法Ａと内部の開口幅寸法ＢとをＡ＜Ｂの関係にした。これにより、スイッチレバー４４が係合凹部３７から抜けにくくすることができるとともに、係合凹部３７の内壁がスイッチレバー４４に干渉しないため、確実にスライドスイッチ４３の切換動作を行うことができる。
【００９０】
また、凹部で構成されている摺動部１３を形成した。これにより、本装置を組み立てる際にスライドツマミ６１が摺動部１３に嵌り込むので、スライドツマミ６１の位置決めを容易にできる。従って、本装置の組み立てを容易にできる。
【００９１】
また、スライドツマミ６１のボス６４の側面に一対のリブ６８が形成され、クリックバネ３１の位置決めリブ３５に凹部３５ａ及び３５ｂが形成され、本装置を組み立てる際にリブ６８と凹部３５ａ及び３５ｂとを嵌合させるようにしてもよい。これにより、スライドツマミ６１をクリックバネ３１に対して位置決めさせることができ、本装置を容易に組み立てることができる。
【００９２】
また、図７に示すように、スライドツマミ６１におけるビス孔６２を傾斜させて形成したことにより、ビス孔６２にビス６５をねじ込む際、ドライバー８をレンズユニット２に対して斜めに挿入して、ビス６５をねじ込むことができる。よって、本装置を容易に組み立てることができる。
【００９３】
また、板バネ部３４に孔部３４ａが形成されていることにより、クリック感を調節することができる。すなわち、孔部３４ａの大きさを小さくすればするほど、板バネ部３４における突起部３２と位置決めリブ３５との間の部分のバネレートを上げることができ、クリック感を上げることができる。また、孔部３４ａの大きさを大きくすればするほど、板バネ部３４における突起部３２と位置決めリブ３５との間の部分のバネレートを下げることができ、スライドツマミ６１をスライドさせやすくなる。つまり、少ない力でスライドツマミ６１をスライドさせることができる。
【００９４】
また、スライドスイッチ４３を自己復帰型のスイッチ素子で構成したことにより、スイッチレバー４４が第１位置または第３位置にある時に、スイッチレバー４４のガタツキを抑えることができる。また、自己復帰型スイッチ素子は、スイッチレバー４４に負荷がかかっていない時は、スイッチレバー４４が常時中立位置にあるため、スライドスイッチ４３に対してクリックバネ３１の位置を特定することができ、組み立て性を向上させることができる。
【００９５】
また、突起部３２、位置決めリブ３５、および係合部３６を、樹脂によるインサート成型により形成したことにより、組み立て性を向上させることができる。
【００９６】
また、ＦＰＣユニット４１がレンズリング１１とレンズフレーム２１との間に配されるため、ＦＰＣユニット４１を外部衝撃などから保護することができる。また、ＦＰＣユニット４１における接地ラインを、金属製のレンズリング１１に電気的に接続したことにより、簡単な構成でスライドスイッチ４３の接地を行うことができる。
【００９７】
また、ＦＰＣユニット４１は、レンズリング１１とレンズフレーム２１との間から、カメラ本体側へ配線されているため、レンズユニット２における入射光の光路に悪影響を与えず、撮影画質の低下を防ぐことができる。すなわち、ＦＰＣユニット４１をレンズフレーム２１の内側（レンズ側）に引き出して配線すると、ＦＰＣユニット４１が入射光の光路を妨げたり、入射される光がＦＰＣ４２の表面を反射するなどして、画質を低下させてしまう問題があるが、本実施の形態ではこのような問題は生じない。
【００９８】
なお、本実施の形態では、リブ６８を一対設け、一対のリブ６８に対応するように凹部３５ａ及び３５ｂを形成する構成としたが、リブ及び凹部はそれぞれ１カ所づつでもよい。これにより、クリックバネ３１に対するスライドツマミ６１の取付方向が決まるため、本装置を容易に組み立てることができる。
【００９９】
また、本実施の形態では、本発明のスイッチとして、スイッチレバー４４を有するスライドスイッチ４３を用いたが、これには限らない。例えば、押し釦を有する押下式のスイッチを用いてもよい。この場合、押し釦が本発明の被作用部に相当し、係合部３６で押し釦を駆動することにより、押下式のスイッチの動作状態を切り換えることになる。他にも、本発明のスイッチとして非接触式のスイッチを用いてもよい。この場合、光検知部などが本発明の被作用部に相当し、係合部３６で光を遮るなどすることにより、スイッチの動作状態を切り換えることになる。
【０１００】
また、本実施の形態では、本発明のクリック部として突起部３２を用いて、レンズフレーム２１と接触することにより、クリック感を生じるよう構成した。しかし、本発明はこれには限らない。例えば、スライド部材の幅方向に弾性の部材を設け、レンズフレーム２１に幅広の部位と幅狭の部位とが交互に配置される波状の凹部を設けるようにし、スライド部材をこの凹部に収めるようにしてもよい。この場合、波状の凹部の側壁と弾性部材とが接触することにより、弾性部材の変位量がスライド部材の移動に伴って変化するため、クリック感が生じることになる。また、クリック部は、レンズフレーム２１ではなく、他の部材と接触するようにしてもよい。要するに、クリック部は、スライド部材の移動に伴ってクリック感を生じさせるものであればよい。
【０１０１】
また、本実施の形態では、突起部３２及び係合部３６を板バネ部３４の端部に配置した。しかし、これらを端部に配置することは本発明にとって必須の要件ではない。要するに、位置決めリブ３５が突起部３２と係合部３６との間に配置されるようにすればよい。
【０１０２】
（実施の形態２）
実施の形態１は、１組のスライドスイッチ装置がレンズユニットに搭載されている構成を示したが、実施の形態２は、複数のスライドスイッチ装置がレンズユニットに搭載されている構成を示す。
【０１０３】
図１３は、実施の形態２におけるレンズユニットの断面を示しており、図１におけるＹ−Ｙ部分の断面を示している。図１４は、図１におけるＸ−Ｘ部分の断面を示している。図１５は、実施の形態２におけるレンズユニットの分解斜視図を示している。
【０１０４】
図１３〜図１５に示すように、本実施の形態ではレンズユニット２００の外周円筒面上に、第１のスライドスイッチユニット２０１と第２のスライドスイッチユニット２０２とが、互いに所定の間隙を空けて配されている。第１のスライドスイッチユニット２０１は、主にクリックバネ１３１ａ、スライドスイッチ１４３ａ、スライドツマミ１６１ａ、およびビス１６５ａを備えている。第２のスライドスイッチユニット２０２は、主にクリックバネ１３１ｂ、スライドツマミ１６１ｂ、スライドスイッチ１４３ｂ、およびビス１６５ｂを備えている。
【０１０５】
また、レンズリング１１１の円筒面には、第１のスライドスイッチユニット２０１を配置可能なように、孔部１１２ａ及び摺動部１１３ａが配され、第２のスライドスイッチユニット２０２を配置可能なように、孔部１１２ｂ及び摺動部１１３ｂが配されている。
【０１０６】
また、レンズフレーム１２１の円筒面には、第１のスライドスイッチユニット２０１を配置可能なように、孔部１２３ａが形成され、第２のスライドスイッチユニット２０２を配置可能なように、孔部１２３ｂが形成されている。また、レンズフレーム１２１には、スライドスイッチ１４３ａを配置可能な孔部１２２ａと、スライドスイッチ１４３ｂを配置可能な孔部１２２ｂとが形成されている。また、図１３に示すように、レンズフレーム１２１の内面には、第１のスライドスイッチユニット２０１における突起部１３２ａが選択的に嵌合可能な、第１のクリック溝１２４ａと第２のクリック溝１２５ａと第３のクリック溝１２６ａとが形成されているとともに、第２のスライドスイッチユニット２０２における突起部１３２ｂが選択的に嵌合可能な、第１のクリック溝１２４ｂと第２のクリック溝１２５ｂと第３のクリック溝１２６ｂとが形成されている。
【０１０７】
また、クリックバネ１３１ａ及び１３１ｂは、それぞれ互いに形状が対称となっている。また、スライドツマミ１６１ａ及び１６１ｂは、互いに同一の部材で構成されている。また、摺動シート１５１ａ及び１５１ｂは、互いに同一の部材で構成されている。
【０１０８】
なお、上記の各部材は、実施の形態１における各部材と同様であるため、部材毎の詳しい説明は省略する。
【０１０９】
ＦＰＣユニット１４１は、端部にスライドスイッチ１４３ａとスライドスイッチ１４３ｂとが配されている。スライドスイッチ１４３ａ及び１４３ｂは、ＦＰＣ１４２の端部において、互いに対向するように配されている。
【０１１０】
次に、本実施の形態のスライドスイッチ装置の組立方法について説明する。
【０１１１】
図１５において、まず、スライドスイッチ１４３ａ及び１４３ｂが接続されているＦＰＣユニット１４１を、レンズフレーム１２１の円筒面上に配置させる。この時、スライドスイッチ１４３ａが孔部１２２ａ内に位置し、スライドスイッチ１４３ｂが孔部１２２ｂ内に位置するように、ＦＰＣユニット１４１を配置させる。なお、スライドスイッチ１４３ａとスライドスイッチ１４３ｂとの間隔は、孔部１２２ａ及び１２２ｂの間隔を考慮して設計されているため、一方のスライドスイッチを位置決めすれば、他方のスライドスイッチはほぼ位置が決まる。
【０１１２】
次に、ビス１４５ａを、孔部１４６ａに挿通して、ビス孔１２８ａに螺合させる。また、ビス１４５ｂを、孔部１４６ｂに挿通して、ビス孔１２８ｂに螺合させる。これにより、ＦＰＣユニット４１をレンズフレーム１２１に固定させることができる。
【０１１３】
本実施の形態におけるスライドスイッチ装置は、スライドスイッチユニットが２組配されるため、クリックバネ３１やスライドツマミ６１などの部品点数が増えるが、組み立て手順は、前述した実施の形態１におけるスライドスイッチ装置の組み立て手順とほとんど同じであるため、以降の組み立て説明は省略する。
【０１１４】
上記のようにして組み立てられたスライドスイッチ装置において、スライドツマミ１６１ａとスライドツマミ１６１ｂは、各々独立してスライド操作することができる。
【０１１５】
以上のように本実施の形態によれば、複数のスライドスイッチ１４３ａ及び１４３ｂを１つのＦＰＣ１４２に接続してユニット化しているため、組み立てが容易になる。
【０１１６】
また、スライドスイッチ１４３ａ及び１４３ｂを、互いに対称になるように配しているため、スイッチ間の距離を短くすることができる。そのため、スイッチ間に配置されるＦＰＣ１４２の長さを短くできる。
【０１１７】
なお、本実施の形態では、２個のスライドスイッチで構成したが、３個以上であってもよい。
【産業上の利用可能性】
【０１１８】
本発明にかかるスライドスイッチは、デジタルスチルカメラなどの撮像装置に限らず、様々な機器に有用である。
【図面の簡単な説明】
【０１１９】
【図１】実施の形態１におけるスライドスイッチ装置が搭載された撮像装置の外観を示す斜視図
【図２】実施の形態１におけるスライドスイッチ装置の分解斜視図
【図３】実施の形態１におけるスライドスイッチ装置の分解斜視図
【図４】実施の形態１におけるクリックバネの斜視図
【図５】実施の形態１におけるクリックバネの斜視図
【図６】実施の形態１におけるレンズユニットの部分断面図
【図７】実施の形態１におけるレンズユニットの断面図
【図８】実施の形態１におけるレンズユニットの部分断面図
【図９】実施の形態１におけるスライドスイッチ装置の断面図（第２位置）
【図１０Ａ】実施の形態１におけるスライドスイッチ装置の断面図（第１位置）
【図１０Ｂ】実施の形態１におけるスライドスイッチ装置の断面図（第１位置）
【図１１Ａ】実施の形態１におけるスライドスイッチ装置の断面図（第３位置）
【図１１Ｂ】実施の形態１におけるスライドスイッチ装置の断面図（第３位置）
【図１２】実施の形態１におけるレンズユニットの側面図
【図１３】実施の形態２におけるレンズユニットの断面図
【図１４】実施の形態２におけるレンズユニットの断面図
【図１５】実施の形態２におけるスライドスイッチ装置の分解斜視図
【図１６】従来のスライドスイッチ装置が搭載された撮像装置の斜視図
【図１７】従来のスライドスイッチ装置の部分断面図
【符号の説明】
【０１２０】
１  カメラ本体
２  レンズユニット
１１  レンズリング
２１  レンズフレーム
３１  クリックバネ
３２  突起部
３３  孔部
３４  板バネ部
３５  位置決めリブ
３６  嵌合部
３７  嵌合凹部
３８  ビス締め面
３９  凹部
４１  ＦＰＣユニット
４２  ＦＰＣ
４３  スライドスイッチ
４４  スイッチレバー
５１  摺動シート
６１  スライドツマミ
【図１】
0004823803.tif 000002
【図２】
0004823803.tif 000003
【図３】
0004823803.tif 000004
【図４】
0004823803.tif 000005
【図５】
0004823803.tif 000006
【図６】
0004823803.tif 000007
【図７】
0004823803.tif 000008
【図８】
0004823803.tif 000009
【図９】
0004823803.tif 000010
【図１０Ａ】
0004823803.tif 000011
【図１０Ｂ】
0004823803.tif 000012
【図１１Ａ】
0004823803.tif 000013
【図１１Ｂ】
0004823803.tif 000014
【図１２】
0004823803.tif 000015
【図１３】
0004823803.tif 000016
【図１４】
0004823803.tif 000017
【図１５】
0004823803.tif 000018
【図１６】
0004823803.tif 000019
【図１７】
0004823803.tif 000020